(57)【要約】【課題】  本考案の課題は、茄子がなぜ縁起の良い植物なのか知られていない。美術工芸文学などの分野にも造形的、色彩的、植物的な茄子の詩歌的魅力などなどが活かされていない。食べ物としてのみに終始しすぎている課題などです。【解決手段】  課題の解決するため、人間の最高の「心身癒やしの場」と言われる浴槽浴室温泉浴場を茄子形デザインのものとし、茄子縁起の顕彰象徴を茄子形で表現し、この茄子湯槽にしたり、文学、美術、造形工芸、音楽などなどが鑑賞のでき楽しめるものとします。  茄子の料理も茄子形容器を使用、安らぎの雰囲気造りも茄子を主題とした照明機器を考案、土産菓子には寺社名や紋章、詩歌など表記物とし、文化の継承と売効果を上げ、地域の発展と前記課題を解決するものであります。【選択図】  図１
2005264682.tif 000002
【特許請求の範囲】
【請求項１】
茄子の形に作った温泉浴場や浴槽浴室と茄子をモチーフとした図案絵画などを表記塗装建築施工の温泉旅館。
【請求項２】
茄子の形に作った温泉浴場や浴槽浴室に寺社名紋章、縁起、佳字、文言、詩歌、などを表記組み合わせた建築物と構築物。
【請求項３】
茄子をモチーフとした温泉旅館、料亭飲食店などに寺社名紋章、縁起、佳字、文言、詩歌、などを表記または組み合わせデザインした花器、食器、置物、化粧水、石鹸、などの茄子形の機器。
【発明の詳細な説明】
【技術分野】
【０００１】  本案は、植物の茄子を形とした浴槽浴室温泉浴場器具に関するもので、この茄子形の浴槽浴室温泉浴場に寺社名、紋章、縁起、佳字、文言、詩歌、などを表記、または図案、絵画などをデザイン施工し楽しく湯に浸り心身を効果的に癒やすことを目的とするものです。
なお茄子は、茄子に無駄花なし。の謂われあり縁起ものとして崇拝されています。
【背景技術】
【０００２】  従来現今、茄子の形をした浴槽浴室温泉浴場も見受けられません。建築展示会や浴槽専門展などでも見受けられません。縁起の良い茄子なのだから花器や浴室置物小物機器、照明機器、浴室タイルなどあっても良いと思うのですが見受けられません。
【発明が解決しようとする課題】
【０００３】  従来の技術で述べましたが第一の課題は、茄子が縁起の良い物であることが知られていないこと。第二の課題は、その茄子をデザインや絵画などのモデルとした優れた作品がなく知られていないこと。第三は茄子は植物、植物以外に活用することなど皆無。前記の課題を周知解決し明るく楽しい生活に貢献することにあります。
【課題を解決するための手段】
【０００４】  上記の問題点第一課題を解決するため、茄子の詩歌や縁起解説書を作成しＰＲをおこないます。観光地や茄子絵菓子など製作「解説絵文」をこの菓子に表記するなどして解決しています。
【０００５】  第二の課題は、茄子形の浴槽浴室温泉浴場をつり、絵画、文言、詩歌などを取り入れたデザインの茄子美のモデルをつくり、さらに歌謡曲や音頭などの会場とし普及につとめ課題を解決します。
【０００６】  第三の課題は、茄子が植物でない美術やインテリアのデザインのモデルとしてどれだけ優れた植物であるか、花器、置物、物入れ、照明機器などにより証明し、人間最高の心身癒やしの場を創作し課題を解決します。
茄子は形も色も多種に渡り、長、小、丸、巾着、茄子などの呼称や花、長寿、結びの縁起文言の伝え多い植物です。楽しい温泉旅行と観光土産を造り解決しています。
【発明を実施するための最良の形態】
【０００７】  考案の実施の形態を図面により説明します。
図１，は、茄子形に作った温泉湯場の見取り図で、茄子を成すの意味に代え、その縁起を温泉湯場に取り入れた一例です。
▲１▼は茄子形の大型の風呂で「大金なす湯」と呼びます。▲２▼はその茄子のなり元と蔕の部分です。▲３▼は「子茄子形」の銀貨入れで水ヌキ穴を付けています。これに名前を書き入れます。▲４▼は▲３▼の銀貨入れ口。▲５▼は▲２▼の部分の湯の中に置いた子茄子形銀貨入れです。湯上がりの時「子茄子形」の銀貨入れごと持ち帰ります。
▲６▼は湧き元湯。▲７▼は茄子印付き小判。
図２，は「良縁なす湯」の足湯場を一例とした見取り図です。
（１）と（２）は縁台。ベンチ形で並んで腰掛けができるものです。（３）は茄子形をした足湯の湯槽。で個別。二個。三個。連結用などがあります。（４）はテーブル。手荷物はこのテーブルの下に入れます。（５）は会食用の引き出し式テーブルです。
図３，は「良縁なす湯」の全身入浴用湯場を一例とした見取り図です。
（１）は茄子形をした大浴場。（２）の茄子蔕の部分を浅く作り腰掛け湯が楽しめます。
（３）は茄子を個別。二個。三個。連結用とした浴槽。（４）は茄子形縁の手摺り。
（５）は茄子蔕の部の腰掛け部です。
図４，は「愛なるなす湯」向き合い茄子形浴槽を一例とした見取り図です。（１）入れ湯口。（２）蔕部の枕。（３）落とし湯口。（４）はＡとＢ湯槽の接続部で湯槽上面より一段低い。通常はＡとＢ湯槽の仕切になっています。（５）落とし湯口止め栓。栓をすると（４）のＡとＢ湯槽の湯が増し（４）の仕切を越えて交流し愛の道となります。
図５，は「美人なるなす湯」の一例。（１）長茄子形浴槽。（２）は茄子の蔕部の枕。（３）は手置き台。（４）は茄子形浮台。この台は小物置きと、神部・肌かくしに使用します。
「美人なるなす湯」は、仰向けの寝姿で一人でゆっくり湯を楽しむことが主題です。
図６，茄子は成すの意とした茄子をモチーフとしたインテリア製品の一例です。
（１）照明器具「愛サンサン」。（２）花器と水盤。（３）菓子器。の一例です。
【発明の効果】
【０００８】  本考案は上述のとおりであります。
【０００９】  茄子という植物の持つ特質や縁起、形状などの顕彰を、食文化の中だけでなく心身の癒やしの場である温泉場、湯槽、湯室、などにモチーフとして使用することにより健康保持増進に効果を上げ得ることができています。漢方では茄子は解毒薬用植物。
【００１０】  茄子をモチーフとした形、文言（「茄子は成す」なり。「茄子に無駄花なし」）など多角的に心身の癒やしの機器（花器、食器、照明器具）に使用することにより、茄子の持つ形状、詩歌、縁起、願望など精神的美術的な鑑賞物を創作し、その種類の豊富さをしらしめる効果。生活の疲れを癒やしてくれる効果を上げています。
【図面の簡単な説明】
【００１１】  図１，は、茄子形に作った温泉湯場の見取り図で、茄子を成すの意味に代え、その縁起を温泉湯場に取り入れた一例です。
図２，は「良縁なす湯」の足湯場を一例とした見取り図です。
図３，は「良縁なす湯」の全身入浴用湯場を一例とした見取り図です。
図４，は「愛なるなす湯」向き合い茄子形浴槽を一例とした見取り図です。（５）の落とし湯口止め栓をすると（４）のＡとＢ湯槽の仕切を越えて交流し愛の道となります。
図５，は「美人なるなす湯」の一例。（１）長茄子形浴槽で仰向けの寝姿勢で、ゆっくりと一人で湯を楽しむことが主題の湯槽です。
図６，茄子は解毒薬菜「子なすの湯」巾着茄子形の立ち湯槽の一例。
（１）湯気抜き穴。（２）小物台。（３）入浴口。（４）飾り。（５）落とし湯口。（６）入り湯口。
図７，茄子をモチーフとした温泉旅館、浴室などのインテリア製品の一例です。
（１）は照明器具「愛サンサン」。（２）は花器一輪差しと水盤。（３）は食器・菓子器。
【符号の説明】
図１，は▲１▼から▲７▼を符号にしています。
図２、は（１）から（５）。
図３，は（１）から（５）。
図４，は（１）から（４）。Ａ．Ｂ．は湯槽の符号。
図５，は（１）から（４）。
図６，は（１）から（６）。
図７，は（１）から（３）の符号にしています。
【図１】
2005264682.tif 000003
【図２】
2005264682.tif 000004
【図３】
2005264682.tif 000005
【図４】
2005264682.tif 000006
【図５】
2005264682.tif 000007
【図６】
2005264682.tif 000008
【図７】
2005264682.tif 000009